(57)【要約】【課題】基板収納ケースの不正行為を防止すると共にＲＯＭの検査作業を複数回できるようにする。【解決手段】台板１６と、回路基板１７と、回路基板１７を覆うようにして台板１６に取り付けられる箱状のカバー体１８とからなる基板収納ケース１４において、前記台板１６に取付板２３を設け、一方、前記カバー体１８に切離し可能な切断部３３を介して一体に形成されかつ前記取付板２３と重合する切離し片部３１を複数設け、前記取付板２３には前記各切離し片部３１に開設された通孔３４と連通するねじ孔２４を穿設し、前記通孔３４を介していずれか１個の切離し片部３１のねじ孔２４に抜脱不能な固定ねじ４１を螺締することによりカバー体１８内に回路基板１７を密封し得るようにした。【選択図】図４
2010172779.tif 000002
【特許請求の範囲】
【請求項１】
遊技機の所定個所に取り付けられる台板と、該台板の前面に固着され遊技機の遊技状態を制御する回路基板と、前記台板とほぼ同じ大きさを有し前記回路基板を覆うようにして台板に取り付けられる箱状のカバー体とからなり、前記回路基板の一側にはカバー体の外側に複数の入出力用コネクターを列設した基板収納ケースにおいて、
前記台板に取付板を設け、一方、前記カバー体に切離し可能な切断部を介して一体に形成されかつ前記取付板と重合する切離し片部を複数設け、前記取付板には前記各切離し片部に開設された通孔と連通する螺子孔を穿設し、前記通孔を介していずれか１個の切離し片部の螺子孔に抜脱不能な固定ねじを螺締することによりカバー体内に回路基板を密封し得るようにし、また、カバー体の一側壁を膨出させて前記複数の入出力用コネクターに被着されるコネクターカバー部を一体に設け、該コネクターカバー部には各入出力用コネクターに対向位置させて接続用コネクターを差し込むための開口を設けたことを特徴とする遊技機における基板収納ケース。
【発明の詳細な説明】
【技術分野】
【０００１】
本発明は、パチンコ遊技機やスロットマシンなどの遊技機に取り付けられ、その遊技動作を制御するための基板収納ケースに関するものである。
【背景技術】
【０００２】
一般に、この種遊技機には所定個所にその遊技動作を制御する回路基板を内装した基板収納ケースが取り付けられる。該基板収納ケースは、遊技機に取り付けられる台板と、該台板の前面に固着されマイクロコンピュータのＣＰＵ，ＲＯＭ等の電子素子が多数装備される回路基板と、前記台板とほぼ同じ大きさからなり回路基板を覆うようにして台板に取り付けられる箱状のカバー体とからなり、これらを重ね合せ更にカバー体に螺子を挿通して締め付けることにより一体に組み付けている。
【０００３】
しかしながら、近時パチンコホールにおいて回路基板のＲＯＭを勝手に改造してゲームに賭博性を持たせるといった不正行為が頻発しており、これを防止するため前記台板とカバー体間に跨がるようにして破損し易い封印紙を貼着し、該封印紙が破損していた場合には不正なＲＯＭ交換が行なわれたとみなしていた。ところが、封印紙を巧妙に剥がし内部のＲＯＭを交換した後、再度封印紙を元の通りに貼り付けておくといった不正行為が行なわれ、封印紙を見ただけでは前記不正が行なわれたか否かが分らないという課題が生じている。
【０００４】
そこで、このような不正行為ができないようにするめに、例えば特開平６−２６９５３９号公報に開示される基板収納ケースが有る。該基板収納ケースは、箱体と該箱体を覆うカバー体とからなり、箱体の内側壁とカバー体とを外部から解除することができない係止垂下片と係止突起とからなる係止手段で係止するようにしている。これによれば基板収納ケースの開封は係止垂下片を切断する以外に方法がなく、係止垂下片が切断されていれば不正な処理がなされたことが直ちに分かるようになっている。ただ、一旦係止垂下片を切断した基板収納ケースは再利用することができないとう難点が有る。
【０００５】
これに対し、回路基板を収納した基板収納ケースは、ＲＯＭ内容の対比照会検査のため、例えば基板収納ケースを取り付けた遊技機の製造メーカー、さらにパチンコホールでの遊技機の設置時などの検査の際には何れも開封する必要があり、このため前記基板収納ケースに複数回の開封及び密封が可能な構造形態が求められている。
【０００６】
一方、前記回路基板の一側には複数の入出力用コネクターが列設されるが、これら入出力用コネクターはカバー体の外側であって外部に露出して設けられているので、回路基板が収納される基板収納ケースを移送したり、パチンコ遊技機の所定個所に取り付ける際、基板収納ケース同志を突き当てたり基板収納ケースをパチンコ遊技機の機枠の角部などに衝突させて前記入出力用コネクターを破損させてしまうといった課題が有った。
【発明の概要】
【発明が解決しようとする課題】
【０００７】
本発明は上記した課題並びに要望に鑑みてなされたもので、内部に収納された回路基板のＲＯＭを交換して勝手に改造するといったことができず、しかも、複数回の開封及び密封ができて再利用可能であり、さらに複数の入出力用コネクターも安全に保護し得る遊技機における基板収納ケースを提供することを目的とするものである。
【課題を解決するための手段】
【０００８】
かかる目的を達成するため本発明は、遊技機の所定個所に取り付けられる台板と、該台板の前面に固着され遊技機の遊技状態を制御する回路基板と、前記台板とほぼ同じ大きさを有し前記回路基板を覆うようにして台板に取り付けられる箱状のカバー体とからなり、前記回路基板の一側にはカバー体の外側に複数の入出力用コネクターを列設した基板収納ケースにおいて、前記台板に取付板を設け、一方、前記カバー体に切離し可能な切断部を介して一体に形成されかつ前記取付板と重合する切離し片部を複数設け、前記取付板には前記各切離し片部に開設された通孔と連通する螺子孔を穿設し、前記通孔を介していずれか１個の切離し片部の螺子孔に抜脱不能な固定ねじを螺締することによりカバー体内に回路基板を密封し得るようにし、また、カバー体の一側壁を膨出させて前記複数の入出力用コネクターに被着されるコネクターカバー部を一体に設け、該コネクターカバー部には各入出力用コネクターに対向位置させて接続用コネクターを差し込むための開口を設けた構成とした。
【０００９】
このように、いずれか１個の切離し片部の通孔を介して取付板の螺子孔に抜脱不能な固定ねじを螺締するようにしたので、一度螺締すると切離し片部を取り外すことができなくなり、常態ではカバー体内に回路基板が密封される。これにより、ＲＯＭを交換して改造するという不正行為が防止され、仮に切離し片部を切断して不正行為が行なわれれば、その切離し片部の切断により不正行為が行なわれたことが直ちに分かる。
【００１０】
また、基板収納ケースの製造メーカーや遊技機の製造メーカーなど各場所での基板収納ケースにおけるＲＯＭ内容の対比照会検査にあっては、その検査の際に固定ねじが螺締されている切離し片部を切断し、カバー体を開けて検査をする。そして、検査後は次の切離し片部の通孔を介して取付板の螺子孔に固定ねじを螺締してカバー体を取り付ける。このように切離し片部を複数設けることにより、基板収納ケースの複数回の開封及び密封ができ再利用可能となる。
【００１１】
更に、回路基板の各入出力用コネクターはカバー体に一体に設けられるコネクターカバー部により覆われ安全に保護されるので、取扱上において破損するといったこともない。
【発明の効果】
【００１２】
本発明の遊技機における基板収納ケースは、台板に設けた取付板とカバー体に対応させて設けた複数の切離し片部とを重合させた状態で、取付板に抜脱不能な固定ねじを螺締することによりカバー体内に回路基板を密封し得るようにしたので、切離し片部を無理に切断しない限りカバー体を取り外すことができず、これにより、ＲＯＭを交換して改造するといった不正行為を防止することができる。
【００１３】
また、切離し片部を複数設けたので、ＲＯＭの検査が繰り返し可能となり、遊技機製造メーカーやパチンコホールなど複数回の検査に充分対応でき再利用が可能となるという効果が有る。
また、回路基板の各入出力用コネクターはカバー体に一体に設けられるコネクターカバー部により覆われ安全に保護されるので、各入出力用コネクターが取扱上において破損するといったことがなく、しかも、各開口は各入出力用コネクターに接続用コネクターを接続する際のガイドとなってその接続が容易に行なえる。更に、このように回路基板全体がカバー体によりほぼ完全に覆われることとなるので、基板収納ケース内にゴミが入りにくく回路基板の故障も少ないといった効果を有する。
【図面の簡単な説明】
【００１４】
【図１】本発明が適用されるパチンコ遊技機の裏面図。
【図２】図１の一部拡大斜視図。
【図３】基板収納ケースの斜視図。
【図４】基板収納ケースの分解斜視図。
【図５】図３のＸ−Ｘ線断面図。
【図６】図３のＹ−Ｙ線断面図。
【図７】固定ねじの斜視図。
【図８】切離し片部を切断してカバー体を開放した状態の基板収納ケースの斜視図。
【図９】同再封止した状態の基板収納ケースの斜視図。
【発明を実施するための形態】
【００１５】
以下、本発明に係る遊技機における基板収納ケースの実施の形態を図面と共に説明する。なお、遊技盤にはパチンコ遊技機，スロットマシン等が有るが、その一例としてパチンコ遊技機について説明する。図１は本発明が適用されるパチンコ遊技機の裏面図である。図中、１は機枠であり、該機枠１に装着される前面枠２の裏面に遊技盤取付枠３が固着され、該遊技盤取付枠３に遊技盤４が装着されている。そして、遊技盤取付枠３の一側には遊技盤４の裏面全体を覆う合成樹脂製の機構板５が開閉自在に装着されている。
【００１６】
前記機構板５の裏面にはその上部にパチンコ球を貯留する景品球タンク６，該景品球タンク６から流下するパチンコ球を整列流下させるタンクレール７，またその一側部に該タンクレール７から流下する景品球の球圧を弱めるカーブ樋８，該カーブ樋８からパチンコ球を受け入れる景品球払出装置９，該景品球払出装置９から払い出された所定個数のパチンコ球を誘導する景品球排出樋１０等がそれぞれ配設されている。
【００１７】
また、前記機構板５のほぼ中央に窓口１１が開設され、該窓口１１に臨んで前記遊技盤４の裏面と対応する機構板５の前側に図２に示すように入賞球集合カバー１２が設けられ、該入賞球集合カバー１２の裏面に突設した取付台１３に本発明に係わる基板収納ケース１４が装着されている。なお、１５は遊技盤４面に設けられた可変表示装置（図示せず。）の後方部分を覆い保護する保護カバーである。
【００１８】
前記基板収納ケース１４は、図３及び図４に示すように前記取付台１３に取り付けられる台板１６と、該台板１６の前面に固着されパチンコ遊技機の遊技状態を制御する回路基板１７と、前記台板１６とほぼ同じ大きさからなり回路基板１７を覆うようにして台板１６に取り付けられる箱状のカバー体１８とからなる。
【００１９】
前記台板１６は回路基板１７に合致する縦長長方形の金属板１６ａからなり、該金属板１６ａの四隅角部にねじ孔１９を穿設した突起２０，２０…が設けられている。そして、金属板１６ａの上下両側端縁のほぼ中央に前記取付台１３に取り付けるための取付孔２１を備えた取付片２２，２２が突設され、これらの取付片２２，２２を挟んだ左右両側に前方へ直角に折り曲がる取付板２３，２３が設けられている。また、各取付板２３，２３…にはそれぞれ間隔を置いてねじ孔２４，２４が２個ずつ貫設されている。
【００２０】
また、前記回路基板１７は周知のように縦長長方形をなすプリント配線基板よりなり、その上面にＲＯＭ２５，ＣＰＵ２６及びその他各種の電子部品２７が関連付けられて配置されている。２８，２８…は回路基板１７の一側に複数列設された入出力用コネクターである。また、回路基板１７の四隅角部に前記台板１６の各ねじ孔１９，１９…と連通する止着孔２９，２９…が貫設してある。
【００２１】
更に、前記カバー体１８は合成樹脂材からなり、台板１６の金属板１６ａに対応した形状をなす表板１８ａの上下両側端縁のほぼ中央に、台板１６に突設された取付片２２，２２の横巾に対応する横巾と所要の長さとを持ったカバー片３０，３０が後方へ直角に折り曲げて突出され、これらのカバー片３０，３０を挟んだ左右両側に前記台板１６の各取付板２３，２３…の外側面にそれぞれ重合する切離し片部３１，３１…が２枚ずつ直角に折り曲げて設けられている。これら各切離し片部３１，３１はそれぞれ基端部の両側に切り込み３２，３２を設けて切離し可能な切断部３３，３３が形成され、該切断部３３からニッパー等の工具により切断し易くしている。また、各切離し片部３１，３１…には前記各ねじ孔２４，２４…に連通する通孔３４，３４…が貫設されている。
【００２２】
また、前記表板１８ａの左右両側に前記カバー片３０，３０と同じ長さの側壁３５，３６が直角に折り曲げて設けられ、その内、右側壁３６はその先端縁部に外方へ膨出する段部を有し前記回路基板１７の一側に列設した各入出力用コネクター２８，２８…に被着されるコネクターカバー部３７が一体的に形成されている。該コネクターカバー部３７の上面には各入出力用コネクター２８，２８…に対応させて複数の開口３８，３８…が開設されている。なお、前記表板１８ａには基板収納ケース１４内の熱を放散するためスリット状の放熱孔３９が多数開設されている。
【００２３】
本発明に係る基板収納ケース１４は上記構成よりなり、まず前記回路基板１７を台板１６の金属板１６ａの前面に重ね、各止着孔２９，２９…を介しビス４０，４０…を各突起２０，２０…のねじ孔１９，１９…に螺締して回路基板１７を台板１６に固着する。次に、前記回路基板１７を覆うようにして台板１６にカバー体１８を被せる。そして、図３，図５に示すように基板収納ケース１４の上下両端側でそれぞれ右端に位置する切離し片部３１（３１ａ），３１（３１ａ）の通孔３４を介して取付板２３，２３の各ねじ孔２４，２４に抜脱不能な固定ねじ４１を螺締する。この固定ねじ４１は、図７に示すように頭部４１ａにおける十字穴４２のそれぞれ一側（左側）が切り欠いてあり、例えば十文型のドライバーで螺子締めする場合、右方向へ回転して螺締めすることはできるが、左方向へ回転させようとしても引っかかりがなくて回転し得えず、これによって取り外しが不可能になっている。また、ねじ部４１ｂは２条ねじであって、しかもねじ山角が非対称に成形されている。
【００２４】
これにより、図５，図６に示すように各取付板２３，２３に各切離し片部３１ａ，３１ａが一体に重合固着され、しかも上下両端縁における取付板２３，２３間はカバー片３０，３０で覆われ、さらに、左右両端縁は各側壁３５，３６で覆われることとなり、これにより回路基板１７がカバー体１８内に密封される。そこで、この状態では各固定ねじ４１，４１…が外せないことから、不正を行うには切離し片部３１ａ，３１ａを無理に破断することとなり、その痕跡が明らかに残ってしかもその隠蔽も極めて困難であるため不正行為が行いにくい。また、その不正は容易に発見でき責任の所在も明確化される。
【００２５】
ところで、前記基板収納ケース１４は基板収納ケースの製造メーカーから遊技機製造メーカーに納入され、該遊技機製造メーカーで回路基板１７を基板収納ケース１４に収め、更に固定ねじ４１，４１…で基板収納ケース１４を密封する。そして、このようにして密封された基板収納ケース１４はパチンコ遊技機の裏面に取付孔２１を介してビス４３を螺締することにより装着され、可変表示装置など各種部品から引き出される配線４４先端の接続用コネクター４５，４５…がコネクターカバー部３７の各開口３８，３８…を介して各入出力用コネクター２８，２８…に接続される。なお、基板収納ケース１４には基板管理番号シールを兼ねた検査履歴書を貼着して遊技機製造メーカーが前記基板管理番号シールへ管理番号を記入して回路基板の管理を行なえるようにする。
【００２６】
遊技機製造メーカーまたはパチンコ遊技機が納入されたパチンコホールで基板収納ケース１４を検査するには、ニッパー等の工具を用いて上下両側端縁の各切離し片部３１ａ，３１ａをその切断部３３，３３から切断して切り離し、図８に示すようにカバー体１８を開放してＲＯＭ２５を検査する。検査後は再びカバー体１８を取り付け、図９に示すように次の各切離し片部３１ｂ，３１ｂ…の通孔３４，３４…を介して各取付板２３，２３…のねじ孔２４，２４…に固定ねじ４１，４１…を螺締する。このようにしてＲＯＭ２５の検査が３回行なえるようになっている。なお、その都度検査者により検査履歴書へ記入するようにすれば、検査履歴書の把握が可能となる。
【００２７】
また、前記回路基板１７の各入出力用コネクター２８，２８…は図６に示されるようにカバー体１８に一体に設けられるコネクターカバー部３７により覆われ安全に保護されるので、各入出力用コネクター２８，２８…が取扱上において破損するといったことがなく、しかも、各開口３８，３８…は各入出力用コネクター２８，２８…に接続用コネクター４５，４５…を接続する際のガイドとなってその接続が容易に行なえる。更に、このように回路基板１７全体がカバー体１８によりほぼ完全に覆われることとなるので、基板収納ケース１４内にゴミが入りにくく回路基板１７の故障も少ない。
【符号の説明】
【００２８】
１４            基板収納ケース
１６            台板
１７            回路基板
１８            カバー体
２３            取付板
２４            ねじ孔
２８            入出力用コネクター
３１            切離し片部
３３            切断部
３４            通孔
３７            コネクターカバー部
３８            開口
４１            固定ねじ
４５            接続用コネクター
【図１】
2010172779.tif 000003
【図２】
2010172779.tif 000004
【図３】
2010172779.tif 000005
【図４】
2010172779.tif 000006
【図５】
2010172779.tif 000007
【図６】
2010172779.tif 000008
【図７】
2010172779.tif 000009
【図８】
2010172779.tif 000010
【図９】
2010172779.tif 000011
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
遊技機の所定個所に取り付けられる台板と、該台板の前面に固着され遊技機の遊技状態を制御する回路基板と、前記台板とほぼ同じ大きさを有し前記回路基板を覆うようにして台板に取り付けられる箱状のカバー体とからなり、前記回路基板の一側にはカバー体の外側に複数の入出力用コネクターを列設した基板収納ケースにおいて、
前記台板に取付板を設け、一方、前記カバー体に切離し可能な切断部を介して一体に形成されかつ前記取付板と重合する切離し片部を複数設け、前記取付板には前記各切離し片部に開設された通孔と連通する螺子孔を穿設し、前記通孔を介していずれか１個の切離し片部の螺子孔に抜脱不能な固定ねじを螺締することによりカバー体内に回路基板を密封し得るようにしたことを特徴とする遊技機における基板収納ケース。